(57)【要約】【課題】  簡単な操作で印刷設定を行うことができ、特に大量画像の印刷設定を行う場合の手間の軽減と時間の短縮を図る。【解決手段】  縮小画像付の画像ファイルを記憶する記憶手段（２７）と、前記記憶手段から複数の画像ファイルの各々の縮小画像を読み出す読み出し手段（４２）と、前記読み出し手段によって読み出された複数の縮小画像を配列表示する表示手段（２４）と、前記表示手段に表示された複数の縮小画像の各々に対するユーザ選択を受け付ける受け付け手段（５０）と、前記ユーザ選択の対象となった一乃至複数の縮小画像に対応する画像ファイルの印刷設定ファイルを生成するファイル生成手段（４２）とを備える。配列表示された複数の縮小画像の各々を確認しながら各画像毎の印刷設定を行うことができる。【選択図】  図２
2006173767.tif 000002
【特許請求の範囲】
【請求項１】
縮小画像付の画像ファイルを記憶する記憶手段と、
前記記憶手段から複数の画像ファイルの各々の縮小画像を読み出す読み出し手段と、
前記読み出し手段によって読み出された複数の縮小画像を配列表示する表示手段と、
前記表示手段に表示された複数の縮小画像の各々に対するユーザ選択を受け付ける受け付け手段と、
前記ユーザ選択の対象となった一乃至複数の縮小画像に対応する画像ファイルの印刷設定ファイルを生成するファイル生成手段と
を備えたことを特徴とする電子カメラ。
【請求項２】
前記表示手段は、前記読み出し手段によって読み出された複数の縮小画像を配列表示するとともに、縮小画像毎の印刷設定の有無を示す印刷設定情報オブジェクトを表示することを特徴とする請求項１記載の電子カメラ。
【請求項３】
縮小画像付の画像ファイルを記憶する記憶手段と、
前記記憶手段から複数の画像ファイルの属性情報と各々の縮小画像を読み出す読み出し手段と、
前記読み出し手段によって読み出された複数の縮小画像と属性情報とを配列表示する表示手段と、
前記表示手段に表示された複数の縮小画像の各々に対するユーザ選択を受け付ける受け付け手段と、
前記ユーザ選択の対象となった一乃至複数の縮小画像に対応する画像ファイルの印刷設定ファイルを生成するファイル生成手段と
を備えたことを特徴とする電子カメラ。
【請求項４】
前記表示手段は、前記読み出し手段によって読み出された複数の縮小画像複数と属性情報とを配列表示するとともに、縮小画像毎の印刷設定の有無を示す印刷設定情報オブジェクトを表示することを特徴とする請求項３記載の電子カメラ。
【請求項５】
縮小画像付の画像ファイルを記憶する記憶手段と、
任意年月の月間カレンダーを生成するカレンダー生成手段と、
前記記憶手段に記憶されている画像ファイルの中から前記任意年月を撮影月とするすべての画像ファイルを対象にしてその対象画像ファイルのうち該撮影月の各撮影日毎の代表画像ファイルの縮小画像を読み出す読み出し手段と、
前記読み出し手段によって読み出された複数の縮小画像を前記月間カレンダーの撮影日に該当する日付領域に組み込んで表示する表示手段と、
前記表示手段に表示された複数の縮小画像の各々又は日付領域の各々に対するユーザ選択を受け付ける受け付け手段と、
前記ユーザ選択の対象となった一乃至複数の縮小画像に対応する画像ファイルの印刷設定ファイルを生成するファイル生成手段と
を備えたことを特徴とする電子カメラ。
【請求項６】
前記表示手段は、前記読み出し手段によって読み出された複数の縮小画像を前記月間カレンダーの撮影日に該当する日付領域に組み込んで表示するとともに、縮小画像を組み込んだ各々の日付領域に印刷設定の有無を示す印刷設定情報オブジェクトを表示することを特徴とする請求項５記載の電子カメラ。
【請求項７】
前記表示手段は、前記読み出し手段によって読み出された複数の縮小画像を前記月間カレンダーの撮影日に該当する日付領域に組み込んで表示するとともに、縮小画像を組み込んだ各々の日付領域に印刷設定の有無を示す印刷設定情報オブジェクトを表示し、且つ、前記月間カレンダー全体又は曜日毎若しくは週毎に共通する印刷設定情報オブジェクトを表示することを特徴とする請求項５記載の電子カメラ。
【請求項８】
更に、月間カレンダー全体又は曜日毎若しくは週毎に共通する受付手段を備えたことを特徴とする請求項５記載の電子カメラ。
【請求項９】
縮小画像付の画像ファイルを記憶する記憶手段と、
過去の印刷設定履歴を保存する保存手段と、
前記記憶手段から複数の画像ファイルの属性情報と各々の縮小画像を読み出すとともに前記保持手段から各々の縮小画像に対応する画像ファイルの過去の印刷設定履歴を読み出す読み出し手段と、
前記読み出し手段によって読み出された複数の縮小画像と属性情報と履歴情報とを配列表示する表示手段と、
前記表示手段に表示された複数の縮小画像の各々に対するユーザ選択を受け付ける受け付け手段と、
前記ユーザ選択の対象となった一乃至複数の縮小画像に対応する画像ファイルの印刷設定ファイルを生成するファイル生成手段と
を備えたことを特徴とする電子カメラ。
【請求項１０】
前記表示手段は、前記読み出し手段によって読み出された複数の縮小画像と属性情報と履歴情報とを配列表示するとともに、縮小画像毎の印刷設定の有無を示す印刷設定情報オブジェクトを表示することを特徴とする請求項９記載の電子カメラ。
【請求項１１】
前記表示手段は、前記読み出し手段によって読み出された複数の縮小画像と属性情報と履歴情報とを配列表示するとともに、縮小画像毎の印刷設定の有無を示す印刷設定情報オブジェクトを表示し、且つ、該印刷設定情報オブジェクトは、該当画像ファイルの印刷済の情報が前記印刷履歴に残されている場合に印刷設定有の表示態様を示すことを特徴とする請求項９記載の電子カメラ。
【請求項１２】
前記表示手段は、前記読み出し手段によって読み出された複数の縮小画像と属性情報と履歴情報とを配列表示するとともに、縮小画像毎の印刷設定の有無を示す印刷設定情報オブジェクトを表示し、且つ、該記印刷設定情報オブジェクトは、該当画像ファイルの印刷済の情報が前記印刷履歴に残されている場合に印刷設定無の表示態様を示すことを特徴とする請求項９記載の電子カメラ。
【請求項１３】
前記受け付け手段は、前記表示手段に表示された複数の縮小画像の各々に対するユーザ選択を受け付けた際に、隣接する縮小画像への移動指示も同時に受け付けることを特徴とする請求項１、請求項３、請求項５又は請求項９いずれかに記載の電子カメラ。
【請求項１４】
前記印刷設定情報オブジェクトは、前記ユーザ選択に応答してその表示態様を変化させることを特徴とする請求項２、請求項４、請求項６、請求項７、請求項１０、請求項１１又は請求項１２いずれかに記載の電子カメラ。
【発明の詳細な説明】
【技術分野】
【０００１】
本発明は、デジタルカメラやカメラ付携帯電話機等の電子カメラに関し、詳しくは、カメラ本体で印刷の指定を行うことができる電子カメラに関する。
【背景技術】
【０００２】
電子カメラは、撮影した画像を電子データに変換して、ＪＥＩＤＡ（日本電子工業振興協会）で制定されたデジタルカメラの標準画像ファイル（ＤＣＦ基本ファイル、つまり、Ｅｘｉｆ−ＪＰＥＧファイル、ＤＣＦ：Design rule for camera File system）で保存する。今まで、この保存画像を印刷するときには、パソコンに画像ファイルを取り込み、プリンタに出力していたが、この方法はパソコンに不慣れな者にとって簡単な作業ではなかった。そこで、パソコンの力を借りずに、電子カメラとプリンタを直接ケーブルでつなぐだけで、または、電子カメラから取り出したメモリカードをプリンタにセットするだけで、印刷を行うことができる便利な規格（以下、プリント指定規格という）、たとえば、ＤＰＯＦ（登録商標）（Digital Print Order Format）が制定された。
【０００３】
図２７は、プリント指定規格の概念図である。電子カメラ１やプリンタ２又はラボ３は、いずれもプリント指定規格対応のものである。電子カメラ１のユーザは、電子カメラ１を再生モードにして撮影済の画像をカメラの液晶モニターに１枚ずつ表示させながら、各々の画像毎に印刷を行うかどうか、また、印刷を行う場合の印刷枚数などをカメラ側で設定する。この印刷設定を行うと、電子カメラ１の内部（画像ファイル４ａ〜４ｃを格納しているメモリカード５の内部）に印刷設定ファイル６が作られる。この印刷設定ファイル６は一つのヘッダ部（［ＨＤＲ］）と印刷画像数に対応した複数のジョブ部（［ＪＯＢ］）とからなるテキストファイル（ファイル名：ＡＵＴＰＲＩＮＴ．ＭＲＫ）である。
【０００４】
印刷設定ファイル６の［ＨＤＲ］には、使用したＤＰＯＦ（登録商標）のバージョン（図示の例では０１．００）、電子カメラ１の製造者名及び機種名（図示の例では“ＣＡＳＩＯ  ＥＸ−Ｚ３”−０１．０Ａ）、印刷設定ファイルの作成日時（図示の例では２００３：１２：０６：００：０２：１８）などが格納される。また、［ＪＯＢ］には、印刷ジョブ毎の一連番号（図示の例では００１）、印刷種別（図示の例ではスタンダードプリントを意味するＳＴＤ）、印刷枚数（図示の例では印刷枚数１を意味する００１）、印刷対象画像の格納パス（図示の例では“．．／ＤＩＣＭ／１００ＣＡＳＩＯ／ＣＩＭＧ０００１．ＪＰＧ”）、日付や簡単なメモを印刷する場合の文字列（図示の例では“２００３／１２／１”−ＡＴＲ  ＤＴＭ）などが格納される。プリンタ２やラボ３では、印刷設定ファイル６の印刷設定情報を読み込み、その情報に従って、各ジョブ毎に指定の画像を指定の印刷種別で且つ指定の枚数だけ印刷する。
【０００５】
図２８は、メモリカード５のディレクトリ構造図である。ルート直下に設けられている一の親ディレクトリ“ＤＣＩＭ”は、ＤＣＦ基本ファイルの格納ディレクトリである。その下に任意のサブディレクトリ（図示の例では１００ＣＡＳＩＯ、１０１ＣＡＳＩＯ、・・・・）を設け、それらのサブディレクトリにＤＣＦ基本ファイル（図示の例では“ＣＩＭＧ０００１．ＪＰＧ”、“ＣＩＭＧ０００１．ＪＰＧ”、・・・・）を格納する。また、ルート直下に設けられている二の親ディレクトリ“ＭＩＳＣ”は、印刷設定ファイル６の格納ディレクトリである。
【０００６】
このように、プリント指定規格対応の電子カメラ１では、印刷したい画像を液晶モニターに１枚ずつ表示して、各画像ごとに印刷の有無や印刷枚数を設定するだけで、自動的にその印刷情報や印刷対象の画像の格納情報を含む印刷設定ファイル６を作成することができる（たとえば、特許文献１参照）。そして、プリント指定規格対応のプリンタ２やラボ３では、ケーブルで接続された電子カメラ１や、セットされたメモリカード５の内部に印刷設定ファイル６が存在する場合、その印刷設定ファイル６の内容に従って印刷を自動的に行うことができる。
【特許文献１】特開２００４−１０４８１７号公報
【発明の開示】
【発明が解決しようとする課題】
【０００７】
しかしながら、上記の特許文献１では、印刷したい画像を液晶モニターに１枚ずつ表示して各画像ごとに印刷枚数等を設定する仕組みになっているため、たとえば、大量の画像を印刷したい場合に相当な手間と時間がかかるという問題点がある。
【０００８】
そこで、本発明は、簡単な操作で印刷設定を行うことができ、特に大量画像の印刷設定を行う場合の手間の軽減と時間の短縮を図ることを目的とする。
【課題を解決するための手段】
【０００９】
請求項１記載の発明は、縮小画像付の画像ファイルを記憶する記憶手段と、前記記憶手段から複数の画像ファイルの各々の縮小画像を読み出す読み出し手段と、前記読み出し手段によって読み出された複数の縮小画像を配列表示する表示手段と、前記表示手段に表示された複数の縮小画像の各々に対するユーザ選択を受け付ける受け付け手段と、前記ユーザ選択の対象となった一乃至複数の縮小画像に対応する画像ファイルの印刷設定ファイルを生成するファイル生成手段とを備えたことを特徴とする電子カメラである。
請求項２記載の発明は、前記表示手段は、前記読み出し手段によって読み出された複数の縮小画像を配列表示するとともに、縮小画像毎の印刷設定の有無を示す印刷設定情報オブジェクトを表示することを特徴とする請求項１記載の電子カメラである。
請求項３記載の発明は、縮小画像付の画像ファイルを記憶する記憶手段と、前記記憶手段から複数の画像ファイルの属性情報と各々の縮小画像を読み出す読み出し手段と、前記読み出し手段によって読み出された複数の縮小画像と属性情報とを配列表示する表示手段と、前記表示手段に表示された複数の縮小画像の各々に対するユーザ選択を受け付ける受け付け手段と、前記ユーザ選択の対象となった一乃至複数の縮小画像に対応する画像ファイルの印刷設定ファイルを生成するファイル生成手段とを備えたことを特徴とする電子カメラである。
請求項４記載の発明は、前記表示手段は、前記読み出し手段によって読み出された複数の縮小画像複数と属性情報とを配列表示するとともに、縮小画像毎の印刷設定の有無を示す印刷設定情報オブジェクトを表示することを特徴とする請求項３記載の電子カメラである。
請求項５記載の発明は、縮小画像付の画像ファイルを記憶する記憶手段と、任意年月の月間カレンダーを生成するカレンダー生成手段と、前記記憶手段に記憶されている画像ファイルの中から前記任意年月を撮影月とするすべての画像ファイルを対象にしてその対象画像ファイルのうち該撮影月の各撮影日毎の代表画像ファイルの縮小画像を読み出す読み出し手段と、前記読み出し手段によって読み出された複数の縮小画像を前記月間カレンダーの撮影日に該当する日付領域に組み込んで表示する表示手段と、前記表示手段に表示された複数の縮小画像の各々又は日付領域の各々に対するユーザ選択を受け付ける受け付け手段と、前記ユーザ選択の対象となった一乃至複数の縮小画像に対応する画像ファイルの印刷設定ファイルを生成するファイル生成手段とを備えたことを特徴とする電子カメラである。
請求項６記載の発明は、前記表示手段は、前記読み出し手段によって読み出された複数の縮小画像を前記月間カレンダーの撮影日に該当する日付領域に組み込んで表示するとともに、縮小画像を組み込んだ各々の日付領域に印刷設定の有無を示す印刷設定情報オブジェクトを表示することを特徴とする請求項５記載の電子カメラである。
請求項７記載の発明は、前記表示手段は、前記読み出し手段によって読み出された複数の縮小画像を前記月間カレンダーの撮影日に該当する日付領域に組み込んで表示するとともに、縮小画像を組み込んだ各々の日付領域に印刷設定の有無を示す印刷設定情報オブジェクトを表示し、且つ、前記月間カレンダーの全体に共通し又は曜日毎若しくは週毎の印刷設定情報オブジェクトを表示することを特徴とする請求項５記載の電子カメラである。
請求項８記載の発明は、更に、月間カレンダー全体又は曜日毎若しくは週毎に共通する受付手段を備えたことを特徴とする請求項５記載の電子カメラである。
請求項９記載の発明は、縮小画像付の画像ファイルを記憶する記憶手段と、過去の印刷設定履歴を保存する保存手段と、前記記憶手段から複数の画像ファイルの属性情報と各々の縮小画像を読み出すとともに前記保持手段から各々の縮小画像に対応する画像ファイルの過去の印刷設定履歴を読み出す読み出し手段と、前記読み出し手段によって読み出された複数の縮小画像と属性情報と履歴情報とを配列表示する表示手段と、前記表示手段に表示された複数の縮小画像の各々に対するユーザ選択を受け付ける受け付け手段と、前記ユーザ選択の対象となった一乃至複数の縮小画像に対応する画像ファイルの印刷設定ファイルを生成するファイル生成手段とを備えたことを特徴とする電子カメラである。
請求項１０記載の発明は、前記表示手段は、前記読み出し手段によって読み出された複数の縮小画像と属性情報と履歴情報とを配列表示するとともに、縮小画像毎の印刷設定の有無を示す印刷設定情報オブジェクトを表示することを特徴とする請求項９記載の電子カメラである。
請求項１１記載の発明は、前記表示手段は、前記読み出し手段によって読み出された複数の縮小画像と属性情報と履歴情報とを配列表示するとともに、縮小画像毎の印刷設定の有無を示す印刷設定情報オブジェクトを表示し、且つ、該印刷設定情報オブジェクトは、該当画像ファイルの印刷済の情報が前記印刷履歴に残されている場合に印刷設定有の表示態様を示すことを特徴とする請求項９記載の電子カメラである。
請求項１２記載の発明は、前記表示手段は、前記読み出し手段によって読み出された複数の縮小画像と属性情報と履歴情報とを配列表示するとともに、縮小画像毎の印刷設定の有無を示す印刷設定情報オブジェクトを表示し、且つ、該記印刷設定情報オブジェクトは、該当画像ファイルの印刷済の情報が前記印刷履歴に残されている場合に印刷設定無の表示態様を示すことを特徴とする請求項９記載の電子カメラである。
請求項１３記載の発明は、前記受け付け手段は、前記表示手段に表示された複数の縮小画像の各々に対するユーザ選択を受け付けた際に、隣接する縮小画像への移動指示も同時に受け付けることを特徴とする請求項１、請求項３、請求項５又は請求項９いずれかに記載の電子カメラである。
請求項１４記載の発明は、前記印刷設定情報オブジェクトは、前記ユーザ選択に応答してその表示態様を変化させることを特徴とする請求項２、請求項４、請求項６、請求項７、請求項１０、請求項１１又は請求項１２いずれかに記載の電子カメラである。
【発明の効果】
【００１０】
請求項１記載の発明では、複数の画像ファイルの各々の縮小画像が読み出され、それらの複数の縮小画像が配列表示される。そして、表示された複数の縮小画像の各々に対するユーザ選択が受け付けられると、そのユーザ選択の対象となった一乃至複数の縮小画像に対応する画像ファイルの印刷設定ファイルが生成される。これによれば、ユーザは、配列表示された複数の縮小画像の各々を確認しながら各画像毎の印刷設定を行うことができるようになり、１枚ずつ画像を表示して印刷設定を何度も繰り返す従来技術に比べて格段の効率の向上を図ることができる。したがって、簡単な操作で印刷設定を行うことができ、特に大量画像の印刷設定を行う場合の手間の軽減と時間の短縮を図ることができる。
請求項２記載の発明では、配列表示された縮小画像毎に、それらの画像の印刷設定の有無を示す印刷設定情報オブジェクトが表示される。ここで、オブジェクトとは、コントロールと呼ばれる各種のプログラム部品のことをいい、たとえば、チェックボックスコントロールなどはその一例である。印刷設定情報オブジェクトをチェックボックスコントロールとした場合、チェックのある／なしで印刷設定の有無を表すことができる。したがって、印刷設定の有無を一目で把握できる。
請求項３記載の発明では、複数の画像ファイルの各々の縮小画像と属性情報（たとえば、ファイル名や撮影日等）が読み出され、それらの複数の縮小画像と属性情報が配列表示される。そして、表示された複数の縮小画像の各々に対するユーザ選択が受け付けられると、そのユーザ選択の対象となった一乃至複数の縮小画像に対応する画像ファイルの印刷設定ファイルが生成される。これによれば、ユーザは、配列表示された複数の縮小画像の各々とそれらの属性情報を確認しながら各画像毎の印刷設定を行うことができるようになり、１枚ずつ画像を表示して印刷設定を何度も繰り返す従来技術に比べて格段の効率の向上を図ることができる。したがって、簡単な操作で印刷設定を行うことができ、特に大量画像の印刷設定を行う場合の手間の軽減と時間の短縮を図ることができる。
請求項４記載の発明では、配列表示された縮小画像毎に、それらの画像の印刷設定の有無を示す印刷設定情報オブジェクトが表示される。たとえば、印刷設定情報オブジェクトをチェックボックスコントロールとした場合、チェックのある／なしで印刷設定の有無を表すことができる。したがって、印刷設定の有無を一目で把握できる。
請求項５記載の発明では、月間カレンダーの各日付領域にその日に撮影された代表画像の縮小画像が表示される。そして、任意の日付領域に対するユーザ選択が受け付けられると、そのユーザ選択の対象となった日付を撮影日とするすべての画像ファイルの印刷設定ファイルが生成される。これによれば、ユーザは、見慣れた形の月間カレンダー上で印刷設定を行うことができ、使い勝手の向上を図ることができる。
請求項６記載の発明では、縮小画像と一緒にそれらの画像の印刷設定の有無を示す印刷設定情報オブジェクトが表示される。たとえば、印刷設定情報オブジェクトをチェックボックスコントロールとした場合、チェックのある／なしで印刷設定の有無を表すことができる。したがって、印刷設定の有無を一目で把握できる。
請求項７記載の発明では、月間カレンダーの全体に共通する印刷設定情報オブジェクト、曜日毎の印刷設定情報オブジェクト又は週毎の印刷設定情報オブジェクトが表示される。たとえば、これらの印刷設定情報オブジェクトをチェックボックスコントロールとした場合、チェックのある／なしで月全体、曜日毎又は週毎の印刷設定の有無を一括して表すことができる。したがって、印刷設定の有無を一目で把握できる。
請求項８記載の発明では、月間カレンダー全体又は曜日毎若しくは週毎に共通する受付手段を備えたので、月単位、曜日単位又は週単位の一括した印刷設定を行うことができる。
請求項９記載の発明では、過去の印刷履歴を参照しながら印刷設定を行うことができ、印刷済の画像に間違って再び印刷設定を行ってしまうミスを防止できる。
請求項１０記載の発明では、縮小画像と一緒にそれらの画像の印刷設定の有無を示す印刷設定情報オブジェクトが表示される。たとえば、印刷設定情報オブジェクトをチェックボックスコントロールとした場合、チェックのある／なしで印刷設定の有無を表すことができる。したがって、印刷設定の有無を一目で把握できる。
請求項１１記載の発明では、印刷設定情報オブジェクトをチェックボックスコントロールとした場合、既に印刷済の画像のチェックボックスコントロールが印刷設定有とされる。したがって、この場合、改めて設定することなく、そのまま前回印刷した画像の再印刷を行うことができる。
請求項１２記載の発明では、印刷設定情報オブジェクトをチェックボックスコントロールとした場合、既に印刷済の画像のチェックボックスコントロールが印刷設定無とされる。したがって、この場合、印刷済の画像は再印刷されない。
請求項１３記載の発明では、印刷設定と同時に隣の縮小画像に移動するので、別途に移動操作を行う必要がなく、操作の簡略化を図ることができる。
請求項１４記載の発明では、印刷設定情報オブジェクトがユーザ選択に応答してその表示態様を変化させるので、表示態様を見るだけで印刷設定の有無を一目で判別することができる。
【発明を実施するための最良の形態】
【００１１】
以下、本発明の実施形態を、デジタルカメラへの適用を例にして図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１２】
図１は、デジタルカメラ１０（電子カメラ）の正面図及び背面図である。この図において、デジタルカメラ１０は、箱形のカメラボディ１１の前面に沈胴式のレンズ鏡筒１２、ストロボ発光窓１３及びファインダ前面窓１４などを配置すると共に、カメラボディ１１の上面に電源スイッチ１５及びシャッターボタン１６などを配置し、さらに、カメラボディ１１の背面にファインダ後面窓１７、撮影モード／再生モード切り換えスイッチ１８、ズーム操作兼再生表示モード切替スイッチ１９、ＭＥＮＵボタン２０、上下左右方向移動ボタン２１、ＳＥＴボタン２２、ＤＩＳＰボタン２３及び液晶モニター２４（表示手段）などを配置し、加えて、カメラボディ１１の底面に蓋２５を設け、この蓋２５を開くことによってカメラボディ１１の内部に実装されたバッテリ２６や、カード型メモリやカード型ハードディスクなどの大容量の外部メモリ２７（記憶手段）を着脱できるようになっている。
【００１３】
１．デジタルカメラ１０の内部構成
図２は、デジタルカメラ１０の内部ブロック図である。この図において、デジタルカメラ１０は、機能別に、撮像系２８、制御系２９、画像記憶系３０、表示系３１及び操作系３２などに分類することができる。
【００１４】
これらの系毎に説明すると、撮像系２８は、ボディ前面のレンズ鏡筒１２に収められたズーム機能及びオートフォーカス機能付の撮影レンズ群３３と、この撮影レンズ群３３を通過した被写体像を二次元の画像信号に変換するＣＣＤ（Charge Coupled Devices）やＣＭＯＳ（Complementary Metal Oxide Semiconductor）などからなる電子撮像部３４と、この電子撮像部３４からの画像信号に対して所要の画像処理を施す映像処理部３５と、画像処理後の画像信号を一時的に記臆する画像メモリ３６とを備えるとともに、レンズ鏡筒１２の不図示のフォーカス機構を駆動するフォーカス駆動部３７と、同ズーム機構を駆動するズーム駆動部３８と、ボディ前面のストロボ発光窓１３に設けられたストロボ発光部３９と、このストロボ発光部３９を駆動するストロボ駆動部４０と、これらの各部（電子撮像部３４、映像処理部３５、フォーカス駆動部３７、ズーム駆動部３８、ストロボ駆動部４０）を制御するための撮影制御部４１とを備える。
【００１５】
制御系２９は、上記の各系を制御してデジタルカメラ１０の動作を集中的にコントロールするＣＰＵ４２（読み出し手段、ファイル生成手段、カレンダー生成手段）と、このＣＰＵ４２の動作に必要な各種プログラムやデータを不揮発的に記憶するプログラムメモリ４３と、後述の第三実施形態における印刷履歴データを記憶する印刷履歴データメモリ４４（保存手段）と、外部機器（たとえば、プリント指定規格対応のプリンタ４５）との間のデータの入出力を行う外部インターフェース部４６とを備える。
【００１６】
画像記憶系３０は、メモリインターフェース部４７と、このメモリインターフェース部４７に着脱可能に接続される外部メモリ２７とを備える。表示系３１は、ＣＰＵ４２から適宜に出力される表示データを一時的に保持するビデオメモリ（ＶＲＡＭ４８）を含む表示制御部４９と、表示制御部４９の出力信号を表示する液晶モニター２４とを備える。
【００１７】
操作系３２は、カメラボディ１１の各部に設けられた様々な操作ボタン類、すなわち、シャッターボタン１６、撮影モード／再生モード切り換えスイッチ１８、ズーム操作兼再生表示モード切替スイッチ１９、ＭＥＮＵボタン２０、上下左右方向移動ボタン２１、ＳＥＴボタン２２、ＤＩＳＰボタン２３を含む操作入力部５０（受け付け手段）と、この操作入力部５０からの操作信号をＣＰＵ４２に入力するための入力回路５１とを備える。
【００１８】
２．デジタルカメラ１０の全体動作
図３は、デジタルカメラ１０の全体的な動作フローチャートを示す図である。この図において、デジタルカメラ１０の電源スイッチ１５がＯＮになると、まず、撮影モード／再生モード切り換えスイッチ１８の現在のスイッチ位置を調べて「撮影モード」であるか「再生モード」であるかを判定する（ステップＳ１０）。そして、判定結果が「撮影モード」であれば、所要の撮影モード処理を実行し（ステップＳ１１）、「再生モード」であれば、以下の再生モード処理を実行する。なお、撮影モード処理については、本発明と直接の関連がないため、説明を省略する。
【００１９】
＜再生モード処理＞
再生モード処理の流れは、概略次のとおりである。すなわち、まず、液晶モニター２４に画像が表示されているか否かを判定し（ステップＳ１２）、表示されていれば、後述のステップＳ１７に進み、表示されていなければ、外部メモリ２７に画像ファイルが格納されているか否かを判定する（ステップＳ１３）。そして、画像ファイルが格納されていなければ、液晶モニター２４に所要の警告メッセージ（たとえば“画像がありません”）を表示（ステップＳ１４）して、ＭＥＮＵボタン２０の押し下げ操作判定（ステップＳ１５）を経た後、再びステップＳ１０に復帰する一方、画像ファイルが格納されていれば、その画像ファイルの中から、たとえば、最後に撮影された画像ファイルを読み出し、復号処理（Ｅｘｉｆ−ＪＰＥＧフォーマットで圧縮された画像を元の画像に再生する処理）を行った後、その画像を液晶モニター２４に表示する（ステップＳ１６）。
【００２０】
図４は、液晶モニター２４の表示画面を示す図である。この図において、液晶モニター２４には１枚の主画像５２が画面枠一杯に表示されている。この主画像５２は、上記のステップＳ１６で外部メモリ２７から読み出され、復号処理されたものである。
【００２１】
次に、上下左右方向移動ボタン２１の「左側」又は「右側」が押されたか否かを判定する（ステップＳ１７）。そして、いずれかが押されていれば、表示画像の入れ替えであると判断して、その押し下げ位置（「左側」又は「右側」）に対応した画像（撮影順番が一つ前の画像又は一つ後の画像）を外部メモリ２７から読み出し、復号処理して液晶モニター２４に表示する（ステップＳ１８）。
【００２２】
次に、「インデックス表示選択」か否かを判定する（ステップＳ１９）。“インデックス表示”とは、外部メモリ２７に格納されている画像ファイルの縮小画像（インデックス画像又はサムネイル画像ともいう）を液晶モニター２４に配列表示することをいう。インデックス表示を所望するユーザは、ズーム操作兼再生表示モード切替スイッチ１９の「左側」を押し下げ操作する。また、このインデックス表示は、縮小画像の配列表示だけでなく、ファイル名や撮影日時等の文字情報をリスト表示する態様も含む。このリスト表示を希望するユーザは、ズーム操作兼再生表示モード切替スイッチ１９の「右側」を押し下げ操作する。
【００２３】
今、ステップＳ１９の判定結果がＮＯの場合、つまり、ユーザによってインデックス表示が所望されなかった場合は、次に、ＭＥＮＵボタン２０の押し下げ操作を判定する（ステップＳ１５）。そして、ＭＥＮＵボタン２０の押し下げ操作が行われなかった場合は、そのままステップＳ１０に復帰し、ＭＥＮＵボタン２０の押し下げ操作が行われた場合は、後述のＭＥＮＵ処理（ステップＳ２０）を実行した後、再びステップＳ１０に復帰する。
【００２４】
ここまでの流れによれば、再生モード状態で電源スイッチ１５をＯＮにすると、外部メモリ２７に格納されている撮影順最後の画像ファイルを復号して、その主画像５２を液晶モニター２４に再生表示（図４参照）することができる。また、上下左右方向移動ボタン２１の「左側」又は「右側」を押し下げ操作することにより、主画像５２を入れ替えることができる。さらに、外部メモリ２７が空であれば、その旨を示す警告メッセージを液晶モニター２４に表示することができる。加えて、主画像５２を表示中にＭＥＮＵボタン２０の押し下げ操作を行うことにより、再生モードに関わる様々な設定を行うことができる。
【００２５】
さて、主画像５２を表示中に、ズーム操作兼再生表示モード切替スイッチ１９の「左側」が押し下げ操作されると、ステップＳ１９の判定結果がＹＥＳとなり、インデックス表示処理を実行する（ステップＳ２１）。
【００２６】
図５は、インデックス表示処理（ステップＳ２１）の動作フローチャートを示す図である。この図において、インデックス表示処理を開始すると、まず、外部メモリ２７に格納されている画像ファイルの中から、たとえば、撮影順序等が連続するｎ個の画像ファイルを選択し、それらの画像ファイルに収められている縮小画像を読み出す（ステップＳ２１ａ）。ここで、ｎは縮小画像の配列数であり、たとえば、ｎ＝９である。次いで、読み出したｎ個の縮小画像を液晶モニター２４に所定の配列順（たとえば、横３列、縦３行のマトリクス配列順）で表示する（ステップＳ２１ｂ）。
【００２７】
図６は、液晶モニター２４のインデックス表示画面を示す図である。この図において、液晶モニター２４にはｎ枚（ここでは９枚）のインデックス画像５３ａ〜５３ｉが横３列、縦３行のマトリクス状に配列されている。太枠で囲まれたインデックス画像５３ｉは、現在選択中の画像（カーソルが位置している画像）である。
【００２８】
このような配列状態において、ＳＥＴボタン２２又は上下左右方向移動ボタン２１のいずれも押し下げ操作されなければ、図６の配列表示を保ったままフローチャートを終了するが、ＳＥＴボタン２２の押し下げが判定された場合（ステップＳ２１ｃの判定結果が“ＹＥＳ”の場合）には、選択中のインデックス画像（図示の例では太枠で囲まれたインデックス画像５３ｉ）に対応する画像ファイルを外部メモリ２７から読み出し、その主画像５２を液晶モニター２４に表示（ステップＳ２１ｅ）して、図４の表示状態に移行した後、フローチャートを終了する。又は、上下左右方向移動ボタン２１の押し下げが判定された場合（ステップＳ２１ｄの判定結果が“ＹＥＳ”の場合）には、その上下左右方向移動ボタン２１の押し下げ位置（「左側」又は「右側」）に対応して選択画像を変更し（ステップＳ２１ｆ）、次いで、変更後の選択画像が表示中のｎ枚のインデックス画像５３ａ〜５３ｉに含まれているか否かを判定する（ステップＳ２１ｇ）。そして、含まれていれば、そのままフローチャートを終了し、含まれていない場合には、インデックス表示のｎ枚のインデックス画像５３ａ〜５３ｉを入れ替えるために、再びステップＳ２１ａ以降を繰り返す。
【００２９】
このように、このデジタルカメラ１０では、電源スイッチ１５をオンにした直後に再生モードになっていれば、最後に撮影された主画像５２を液晶モニター２４に表示する。そして、その表示状態で上下左右方向移動ボタン２１を押し下げ操作すると、液晶モニター２４に表示中の主画像５２が入れ替えられる。また、主画像５２を表示中にズーム操作兼再生表示モード切替スイッチ１９の「左側」を押し下げると、ｎ枚のインデックス画像５３ａ〜５３ｉを配列したインデックス表示に移行する。
【００３０】
＜ＭＥＮＵ処理＞
次に、上記の再生モード処理のステップＳ２０で実行される「ＭＥＮＵ処理」について説明する。
図７は、ＭＥＮＵ処理のフローチャートを示す図である。このフローチャートでは、まず、液晶モニター２４に再生モード用メニュー画面を表示し（ステップＳ３１）、次いで、ユーザによるメニュー項目の選択操作に対応した分岐判断を行い（ステップＳ３２）、いずれのメニュー項目も選択されていなければ、ＭＥＮＵボタン２０の再押し下げを判定して（ステップＳ３３）、押し下げられていなければ、分岐判断を繰り返す一方、押し下げられた場合には、再生モード用メニュー画面を消した後（ステップＳ３４）、フローチャートを終了する。
【００３１】
ここで、分岐判断では、再生モードにおける様々な設定メニュー、たとえば、「拡大」、「スライドショー」、「回転表示」及び「リサイズ」などに加えて、「印刷設定」のメニュー項目が並んでいる。
【００３２】
図８は、再生モード用メニュー画面を示す図である。液晶モニター２４に表示された再生モード用メニュー画面５４には、拡大５５、スライドショー５６、回転表示５７、リサイズ５８及び印刷設定５９の各メニュー項目が並んでいる。ユーザによっていずれかのメニュー項目が選択されたときに、上記のフローチャートの分岐判断（図７のステップＳ３２）が成立し、それらの選択メニュー項目に対応した処理が実行される。すなわち、拡大５５が選択されると、再生画像の拡大処理が行われ、また、スライドショー５６が選択されると再生画像のスライドショー処理が行われ、また、回転表示５７が選択されると再生画像の回転表示処理が行われ、リサイズ５８が選択されると再生画像のリサイズ処理が行われる。さらに、印刷設定５９が選択されると、以下の第一実施形態に特有の要素を含む印刷設定処理（ステップＳ３５）が行われる。
【００３３】
３．第一実施形態
図９は、第一実施形態における印刷設定処理のフローチャートを示す図である。このフローチャートでは、まず、液晶モニター２４に印刷設定画面を表示し（ステップＳ３５ａ）、次いで、ユーザによるメニュー項目の選択操作に対応した分岐判断を行い（ステップＳ３５ｂ）、いずれのメニュー項目も選択されていなければ、分岐判断を繰り返す一方、メニュー項目の「選択画像をプリント」が選択された場合には、「印刷処理１」を実行し（ステップＳ３６）、メニュー項目の「全画像をプリント」が選択された場合には、「印刷処理２」を実行し（ステップＳ３７）、メニュー項目の「インデックスから選択」が選択された場合には、「印刷処理３」を実行し（ステップＳ３８）、メニュー項目の「キャンセル」が選択された場合には、フローチャートを終了する。
【００３４】
図１０は、印刷設定画面を示す図である。液晶モニター２４に表示された印刷設定画面６０には、選択画像をプリント６１、全画像をプリント６２、インデックスから選択６３、キャンセル６４の各メニュー項目が並んでいる。ユーザによっていずれかのメニュー項目が選択されたときに、上記の分岐判断（ステップＳ３５ｂ）が成立し、それらの選択メニュー項目に対応した処理を実行する。すなわち、選択画像をプリント６１を選択すると印刷処理１を実行し、全画像をプリント６２を選択すると印刷処理２を実行し、インデックスから選択６３を選択すると印刷処理３を実行し、また、キャンセル６４を選択すると印刷設定画面６０を消してフローチャートを終了する。
【００３５】
＜印刷処理１（選択画像をプリント）＞
図１１は、印刷処理１（選択画像をプリント）のフローチャートを示す図である。このフローチャートでは、まず、液晶モニター２４に選択画像の印刷枚数指定画面を表示し（ステップＳ３６ａ）、その画面に入力された印刷枚数情報に基づいて印刷設定ファイルを生成するという動作（ステップＳ３６ｂ）をすべての印刷対象画像について繰り返す（ステップＳ３６ｃ、ステップＳ３６ｄ）。
【００３６】
図１２は、選択画像の印刷枚数指定画面を示す図である。液晶モニター２４に表示された選択画像の印刷枚数指定画面６５には、現在の選択画像６６と、その選択画像６６を印刷する場合の印刷枚数を指定するためのテキストボックスコントロール６７が表示されている。このテキストボックスコントロール６７に印刷枚数を入力する場合には、上下左右方向移動ボタン２１の「上側」を押し下げ操作する。「上側」を１回押す毎に印刷枚数が＋１される。なお、印刷枚数を減らしたり０にしたりするには、上下左右方向移動ボタン２１の「下側」を押し下げ操作する。「下側」を１回押す毎に印刷枚数が−１される。また、撮影日の印刷指定も行う場合は、ＤＩＳＰボタン２３を押し下げ操作する。さらに、選択画像６６を他の画像に変更するには、上下左右方向移動ボタン２１の「左側」又は「右側」を押し下げ操作する。「左側」を押し下げ操作すると撮影順番が前の画像に変更され、あるいは、「右側」を押し下げ操作すると撮影順番が後の画像に変更される。このような操作（選択画像をプリント）を行うことにより、各々の選択画像の印刷枚数や対象画像の格納パスを含む印刷設定ファイルが生成される。
【００３７】
＜印刷処理２（全画像をプリント）＞
図１３は、印刷処理２（全画像をプリント）のフローチャートを示す図である。このフローチャートでは、液晶モニター２４に全画像の印刷枚数指定画面を表示し（ステップＳ３７ａ）、その画面に入力された印刷枚数情報に基づいて、外部メモリ２７に格納されているすべての画像に対する印刷設定ファイルを生成する（ステップＳ３７ｂ）。
【００３８】
図１４は、全画像の印刷枚数指定画面を示す図である。液晶モニター２４に表示された全画像の印刷枚数指定画面６８には、現在の選択画像６９と、その選択画像６９を含むすべての画像（外部メモリ２７に格納されているすべての画像）を印刷する場合の共通印刷枚数を指定するためのテキストボックスコントロール７０が表示されている。このテキストボックスコントロール７０に印刷枚数を入力する場合には、上記の選択画像の印刷枚数指定画面６５と同様に、上下左右方向移動ボタン２１の「上側」を押し下げ操作する。「上側」を１回押す毎に印刷枚数が＋１される。また、印刷枚数を減らしたり０にしたりするには、上下左右方向移動ボタン２１の「下側」を押し下げ操作する。「下側」を１回押す毎に印刷枚数が−１される。また、撮影日の印刷指定も行う場合には、ＤＩＳＰボタン２３を押し下げ操作する。このような操作（全画像をプリント）を行うことにより、外部メモリ２７に格納されているすべての画像の印刷枚数や対象画像の格納パスを含む印刷設定ファイルが生成される。
【００３９】
＜印刷処理３（インデックスから選択）＞
図１５は、印刷処理３（インデックスから選択）のフローチャートを示す図である。このフローチャートでは、液晶モニター２４に印刷設定用インデックス表示画面を表示し（ステップＳ３８ａ）、いずれか一つ以上のインデックス画像に印刷指定が設定されているか否かを判定して（ステップＳ３８ｂ）、印刷指定が設定されている場合に、それらの印刷指定された画像に対する印刷設定ファイルを生成する（ステップＳ３８ｃ）。
【００４０】
図１６は、印刷設定用インデックス表示画面の二つの例を示す図である。まず、第一の例（ａ）について説明する。この印刷設定用インデックス表示画面７１は、たとえば、横３列、縦３行のマトリクス状に配列された９個のインデックス画像７２ａ〜７２ｉと、各インデックス画像に共通の印刷枚数を指定するためのテキストボックスコントロール７３とを備え、さらに、それぞれのインデックス画像７２ａ〜７２ｉの中に、各インデックス画像に対応する画像の印刷をするかしないかを指定するための印刷設定情報オブジェクト（図ではチェックボックスコントロール７４ａ〜７４ｉ）を備える。
【００４１】
ここで、“チェックボックスコントロール”とは、オブジェクト指向のプログラム開発環境で用いられるプログラム部品（コントロール）の一つであり、正方形の矩形図形の中にチェック記号を入れたり外したりできるものである。このチェックボックスコントロールのＶａｌｕｅプロパティは“１”と“０”のいずれか、又は、“Ｔｒｕｅ”と“Ｆａｌｓｅ”のいずれかの値を持つことができる。この値はプログラムのコードから操作することが可能であり、Ｖａｌｕｅプロパティに“１”（又は“Ｔｌｕｅ”）をセットすると、画面上の矩形図形の中にチェック記号が入り、また、Ｖａｌｕｅプロパティに“０”（又は“Ｆａｌｓｅ”）をセットすると、チェックが外れる。
【００４２】
印刷対象画像を指定し又は解除する場合は、上下左右方向移動ボタン２１の「左側」又は「右側」を操作しながらｎ個のインデックス画像７２ａ〜７２ｉのうちの所望の画像を選択状態にし、且つ、上下左右方向移動ボタン２１の「上側」や「下側」を操作すればよい。「上側」を操作した場合は該当画像のチェックボックスコントロール７４ａ〜７４ｉにチェックが入って印刷指定状態となり、「下側」を操作した場合はチェックが外れて印刷解除状態となる。また、印刷枚数を指定する場合には、上下左右方向移動ボタン２１の「左側」又は「右側」を操作してテキストボックスコントロール７３を選択し、上下左右方向移動ボタン２１の「上側」又は「下側」を操作して必要な印刷枚数を入力すればよい。上下左右方向移動ボタン２１の「上側」を押すたびに印刷枚数が＋１され、上下左右方向移動ボタン２１の「下側」を押すたびに印刷枚数が−１される。このテキストボックスコントロール７３に入力された印刷枚数は、印刷指定されたインデックス画像に対応する画像に共通の値として用いられる。たとえば、図示の例では、テキストボックスコントロール７３に“２”が入力されており、且つ、印刷指定の対象画像として、上段左端のインデックス画像及び中段左端と中央のインデックス画像が指定されている（チェックが入っている）ため、これらの３枚の画像（インデックス画像７２ａ、７２ｄ、７２ｅの各々に対応する画像）に共通の印刷指定枚数が“２”となる。したがって、この場合は、外部メモリ２７に格納されているすべての画像のうち、上記の３枚の画像（インデックス画像７２ａ、７２ｄ、７２ｅの各々に対応する画像）に共通の印刷枚数（“２”）や、それらの対象画像の格納パスを含む印刷設定ファイルが生成される。
【００４３】
さて、かかる第一の例（ａ）の印刷設定用インデックス表示画面７１は、ｎ個の縮小画像を配列したインデックス表示状態で各々の画像の印刷指定を行うことができるため、一つの画像毎に印刷指定を行う前記の「選択画像をプリント」するもの（図１２参照）に比べて、格段に印刷指定の効率が高いというメリットがある。つまり、前記の「選択画像をプリント」するもの（図１２参照）では、１枚の画像毎に印刷指定を行うため、複数の画像を対象とする場合には画像の入れ替えが頻繁に生じ、操作性が低下して効率が悪くなるという欠点があるが、この第一の例（ａ）の印刷設定用インデックス表示画面７１では、ｎ個の縮小画像を一度に閲覧しながら縮小画像毎の印刷するしないを設定できるので、少なくとも、その間は画像の入れ替えを行う必要がなく、したがって、こうした欠点はない。
【００４４】
次に、上記の第一の例と同一のメリットが得られる第二の例（図１６（ｂ））について説明する。この第二の例の印刷設定用インデックス表示画面７５は、画面の左端に上下にスクロール可能な複数個（ここでは３個）のインデックス画像７６ａ〜７６ｃを縦に並べて表示するとともに、その右側にリスト７７を表示し、且つ、画面の右上隅に各インデックス画像７６ａ〜７６ｃに共通の印刷枚数を指定するためのテキストボックスコントロール７８を表示している。リスト７７は、インデックス画像７６ａ〜７６ｃと一緒にスクロールする各インデックス画像７６ａ〜７６ｃ毎のレコード７９ａ〜７９ｃを備えており、各レコード７９ａ〜７９ｃは、さらに、各インデックス画像７６ａ〜７６ｃのファイル名（“００１．ＪＰＧ”、“００２．ＪＰＧ”、“００３．ＪＰＧ”・・・・）を表示するためのファイル名フィールド７９ｄ、各インデックス画像７６ａ〜７６ｃの撮影日（“０３／０７／０７”、“０３／０７／１２”、“０３／０７／１３”・・・・）を表示するための撮影日フィールド７９ｅ及び印刷フィールド７９ｆを備えている。印刷フィールド７９ｆは、各インデックス画像７６ａ〜７６ｃの印刷指定を行うための印刷設定情報オブジェクト（図ではチェックボックスコントロール８０ａ〜８０ｃ）を備え、さらに、その横に現在の印刷枚数指定値（“０”や“２”）を表示している。
【００４５】
印刷対象画像を指定し又は解除する場合は、上下左右方向移動ボタン２１の「左側」又は「右側」を操作しながら３個のインデックス画像７６ａ〜７６ｃのうちの所望の画像を選択状態にし、且つ、上下左右方向移動ボタン２１の「上側」や「下側」を操作すればよい。「上側」を操作した場合は該当画像に対応するチェックボックスコントロール８０ａ〜８０ｃにチェックが入って印刷指定状態となり、「下側」を操作した場合はチェックが外れて印刷解除状態となる。また、印刷枚数を指定する場合には、上下左右方向移動ボタン２１の「左側」又は「右側」を操作してテキストボックスコントロール７８を選択し、上下左右方向移動ボタン２１の「上側」又は「下側」を操作して必要な印刷枚数を入力すればよい。上下左右方向移動ボタン２１の「上側」を押すたびに印刷枚数が＋１され、上下左右方向移動ボタン２１の「下側」を押すたびに印刷枚数が−１される。このテキストボックスコントロール７８に入力された印刷枚数は、印刷指定されたインデックス画像に対応する画像に共通の値として用いられる。たとえば、図示の例では、テキストボックスコントロール７８に“２”が入力されており、且つ、印刷指定の対象画像として、中段と下段のインデックス画像が指定されている（チェックが入っている）ため、これらの２枚の画像（インデックス画像７６ｂ、７６ｃの各々に対応する画像）に共通の印刷指定枚数が“２”となる。したがって、この場合は、外部メモリ２７に格納されているすべての画像のうち、上記の２枚の画像（インデックス画像７６ｂ、７６ｃの各々に対応する画像）に共通の印刷枚数（“２”）や、それらの対象画像の格納パスを含む印刷設定ファイルが生成される。
【００４６】
さて、かかる第二の例（ｂ）の印刷設定用インデックス表示画面７７においても、３個の縮小画像を配列したインデックス表示状態で各々の画像の印刷指定を行うことができるため、一つの画像毎に印刷指定を行う前記の「選択画像をプリント」するもの（図１２参照）に比べて、格段に印刷指定の効率が高いというメリットがある。つまり、前記の「選択画像をプリント」するもの（図１２参照）では、１枚の画像毎に印刷指定を行うため、複数の画像を対象とする場合には画像の入れ替えが頻繁に生じ、操作性が低下して効率が悪くなるという欠点があるが、この第二の例（ｂ）の印刷設定用インデックス表示画面７７では、３個の縮小画像を一度に閲覧しながら縮小画像毎の印刷するしないを設定できるので、少なくとも、その間は画像の入れ替えを行う必要がなく、したがって、上記の第一例（ａ）と同様に、こうした欠点はない。
【００４７】
以上のとおり、本実施形態では、複数のインデックス画像を表示した状態で、それらのインデックス画像毎に印刷するしないを設定できるため、操作性の改善を図ることができ、とりわけ、大量の画像の印刷設定を行う場合の効率を高めることができる。
【００４８】
４．第二実施形態
本発明の技術思想は、以上の実施形態に限定されない。複数のインデックス画像を表示した状態で、それらのインデックス画像毎に印刷するしないを設定できるような仕組みになっていればよく、たとえば、以下のような変形例としてもよい。
【００４９】
図１７は、第二実施形態における印刷設定画面を示す図である。この図において、液晶モニター２４に表示された印刷設定画面８１には、上記の第一実施形態における印刷設定画面６０（図１０参照）と同様のメニュー項目、すなわち、選択画像をプリント６１、全画像をプリント６２及びキャンセル６４が並んでいるが、これに加えて、カレンダーから選択８２という新たなメニュー項目が表示されている。
【００５０】
＜印刷処理３（カレンダーから選択）＞
図１８は、印刷設定画面８１のカレンダーから選択８２を選択したときに実行される印刷処理３（カレンダーから選択）のフローチャートを示す図である。このフローチャートでは、液晶モニター２４に印刷設定用カレンダー画面を表示し（ステップＳ３９ａ）、そのカレンダー画面の「月」、「週」又は「日」に印刷指定が設定されているか否かを判定して（ステップＳ３９ｂ）、印刷指定が設定されている場合に、それらの印刷指定された「月」、「週」又は「日」に撮影されたすべての画像に対する印刷設定ファイルを生成する（ステップＳ３９ｃ）。
【００５１】
図１９（ａ）は、印刷設定用カレンダー画面の例を示す図である。この図において、液晶モニター２４に表示された印刷設定用カレンダー画面８３は、画面上に月間カレンダー８４を配置するとともに、画面の右上隅に印刷枚数指定用のテキストボックスコントロール８５を配置している。月間カレンダー８４は、日曜（Ｓｕｎ）から土曜日（Ｓａｔ）までの曜日列と、第１週（Ｗ１）、第２週（Ｗ１）、第３週（Ｗ１）、・・・・の週行と、最下行の年月表示領域（例：２００３年７月）とからなり、それらの列と行の交点の升目を日付領域としている。
【００５２】
図１９（ｂ）は、代表して一つの日付領域８６を示す図である。この日付領域８６は、たとえば、２００３年７月１５日のものである。この日付領域８６の右上には日付（“１５”）が表示されているとともに、当該領域のほぼ上半分にインデックス画像８７が表示されている。このインデックス画像８７は、外部メモリ２７に格納されているすべての画像の内、２００３年７月１５日に撮影された画像の内の一枚（たとえば、２００３年７月１５日の最後に撮影された画像）である。さらに、この日付領域８６の右下には印刷指定をするための印刷設定情報オブジェクト（図ではチェックボックスコントロール８８）が配置されているとともに、その横には現在の印刷枚数指定値（テキストボックスコントロール８５に入力された値）が表示されている。
【００５３】
さて、この印刷設定用カレンダー画面８３のポイントは、任意の年月中に撮影された代表画像のインデックスが、それぞれの日付領域８６に表示される点にある。たとえば、図示の例では、４日、７日、１２日、１３日、１５日、１８日及び１９日のそれぞれの日付領域８６にインデックス画像８７が表示されているから、少なくとも、それらの日付で撮影された画像が外部メモリ２７に格納されていることを直感的に知ることができる。そして、たとえば、１５日に撮影した画像をすべて印刷したい場合には、その日付領域８６のチェックボックスコントロール８８にチェックを入れて印刷指定をすればよい。画像の印刷枚数はチェックボックスコントロール８８の横の印刷枚数指定値で知ることができ、印刷枚数を増減したい場合にはテキストボックスコントロール８５の入力値を変更すればよい。
【００５４】
このように、この印刷設定用カレンダー画面８３によれば、任意の年月日に撮影されたすべての画像を一括して印刷設定できる。また、その印刷設定は、いつも見慣れた月間カレンダーの上で行うことができるから、違和感がなく、操作も簡単で使いやすいというメリットもある。
【００５５】
なお、以上の説明では、日付毎に印刷設定を行っているが、月単位や週単位又は曜日単位でまとめて印刷設定を行うようにしてもよい。これは、たとえば、曜日毎の印刷設定情報オブジェクト（図ではチェックボックスコントロール８９ａ〜８９ｇ）を設けたり、週毎の印刷設定情報オブジェクト（図ではチェックボックスコントロール９０ａ〜９０ｃ）を設けたり、あるいは、月の印刷設定情報オブジェクト（図ではチェックボックスコントロール９１）を設けたりすることによって実現できる。曜日毎のチェックボックスコントロール８９ａ〜８９ｇにチェックを入れると、その曜日のすべての日付領域８６のチェックボックスコントロール８８に自動的にチェックが入るようにし、または、週毎のチェックボックスコントロール９０ａ〜９０ｃにチェックを入れると、その週のすべての日付領域８６のチェックボックスコントロール８８に自動的にチェックが入るようにし、あるいは、月のチェックボックスコントロール９１にチェックを入れると、その月のすべての日付領域８６のチェックボックスコントロール８８に自動的にチェックが入るようにすればよい。
【００５６】
このようにすると、たとえば、２００３年７月に撮影されたすべての画像を一括して印刷設定でき、又は、同年同月の任意の曜日に撮影されたすべての画像を一括して印刷設定でき、若しくは、同年同月の任意の週に撮影されたすべての画像を一括して印刷設定できるから、より一層の操作の簡単化を図ることができる。
【００５７】
５．第三実施形態
ところで、外部メモリ２７に大量の画像が格納されている場合には、往々にして既に印刷設定を行った画像、すなわち、印刷済の画像に再び印刷設定を行ってしまうケースがあり得るが、従来は、こうしたケースを確実に回避できなかった。
【００５８】
そこで、この第三実施形態においては、過去の印刷設定ファイルを印刷履歴データとしてデジタルカメラ１０の内部（印刷履歴データメモリ４４）に残しておき、印刷設定を行う際に、その履歴（過去の印刷設定ファイル）を参照することにより、上記の不都合なケースを回避する。
【００５９】
図２０（ａ）は、第三実施形態における印刷設定画面を示す図である。この図において、液晶モニター２４に表示された印刷設定画面９２には、上記の第一実施形態における印刷設定画面６０（図１０参照）と同様のメニュー項目、すなわち、選択画像をプリント６１、全画像をプリント６２及びキャンセル６４が並んでいるが、これに加えて、印刷履歴から選択９３という新たなメニュー項目が表示されている。
【００６０】
図２０（ｂ）は、印刷履歴から選択９３を選択したときに開かれる印刷設定画面を示す図である。この図において、印刷設定画面９４には、印刷履歴を元に画像を選択９５、前回印刷した画像を再プリント９６、前回印刷しなかった画像をプリント９７及びキャンセル９８の各メニューが表示されている。
【００６１】
印刷履歴を元に画像を選択９５を選択すると、印刷履歴に基づいて後述の印刷処理３（印刷履歴を元に画像を選択）を実行する。また、前回印刷した画像を再プリント９６を選択すると、印刷履歴に含まれている画像の情報、つまり、前回印刷した画像の情報を取り出し、その情報で印刷設定ファイルを生成する。また、前回印刷しなかった画像をプリント９７を選択すると、印刷履歴に含まれていない画像を特定して、その画像の情報で印刷設定ファイルを生成する。
【００６２】
＜印刷処理３（印刷履歴を元に画像を選択）＞
図２１は、印刷設定画面９４の印刷履歴を元に画像を選択９５を選択したときに実行される印刷処理３（印刷履歴を元に画像を選択）のフローチャートを示す図である。このフローチャートでは、液晶モニター２４に印刷設定用印刷履歴付インデックス画面を表示し（ステップＳ４０ａ）、いずれか一つ以上のインデックス画像に印刷指定が設定されているか否かを判定して（ステップＳ４０ｂ）、印刷指定が設定されている場合に、それらの印刷指定された画像に対する印刷設定ファイルを生成する（ステップＳ４０ｃ）。
【００６３】
図２２は、印刷設定用印刷履歴付インデックス画面を示す図である。この印刷設定用印刷履歴付インデックス画面９９は、画面の左端に上下にスクロール可能な複数個（ここでは３個）のインデックス画像１００ａ〜１００ｃを縦に並べて表示するとともに、その右側にリスト１０１を表示し、且つ、画面の右上隅に各インデックス画像１００ａ〜１００ｃに共通の印刷枚数を指定するためのテキストボックスコントロール１０２を表示している。リスト１０１は、インデックス画像１００ａ〜１００ｃと一緒にスクロールする各インデックス画像１００ａ〜１００ｃ毎のレコード１０３ａ〜１０３ｃを備えており、各レコード１０３ａ〜１０３ｃは、さらに、各インデックス画像１００ａ〜１００ｃのファイル名（“００１．ＪＰＧ”、“００２．ＪＰＧ”、“００３．ＪＰＧ”・・・・）を表示するためのファイル名フィールド１０３ｄ、各インデックス画像１００ａ〜１００ｃの印刷履歴（過去の印刷設定有無と印刷設定枚数）を表示するための印刷履歴フィールド１０３ｅ及び印刷フィールド１０３ｆを備えている。印刷フィールド１０３ｆは、各インデックス画像１００ａ〜１００ｃの印刷指定を行うための印刷設定情報オブジェクト（図ではチェックボックスコントロール１０４ａ〜１０４）を備え、さらに、その横に現在の印刷枚数指定値（“０”や“２”）を表示している。
【００６４】
印刷対象画像を指定し又は解除する場合は、上下左右方向移動ボタン２１の「左側」又は「右側」を操作しながら３個のインデックス画像１００ａ〜１００ｃのうちの所望の画像を選択状態にし、且つ、上下左右方向移動ボタン２１の「上側」や「下側」を操作すればよい。「上側」を操作した場合は該当画像に対応するチェックボックスコントロール１０４ａ〜１０４ｃにチェックが入って印刷指定状態となり、「下側」を操作した場合はチェックが外れて印刷解除状態となる。また、印刷枚数を指定する場合には、上下左右方向移動ボタン２１の「左側」又は「右側」を操作してテキストボックスコントロール１０２を選択し、上下左右方向移動ボタン２１の「上側」又は「下側」を操作して必要な印刷枚数を入力すればよい。上下左右方向移動ボタン２１の「上側」を押すたびに印刷枚数が＋１され、上下左右方向移動ボタン２１の「下側」を押すたびに印刷枚数が−１される。このテキストボックスコントロール１０２に入力された印刷枚数は、印刷指定されたインデックス画像に対応する画像に共通の値として用いられる。
【００６５】
この実施形態によれば、過去の印刷履歴を参照しながら、各画像の印刷設定を行うことができる。したがって、印刷済の画像を重複して印刷するといった無駄を回避することができる。また、印刷済の画像を再印刷したい場合には、印刷設定画面９４の前回印刷した画像を再プリント９６を選択するというワンタッチ操作で、所要の印刷設定ファイルを簡単に生成できる。あるいは、前回印刷しなかった画像を印刷する場合にも、印刷設定画面９４の前回印刷しなかった画像をプリント９７を選択するというワンタッチ操作で、簡単に所要の印刷設定ファイルを生成できる。
【００６６】
６．第四実施形態
図２３は、第四実施形態における印刷設定画面を示す図である。この図において、液晶モニター２４に表示された印刷設定画面１０５には、上記の第一実施形態における印刷設定画面６０（図１０参照）と同様のメニュー項目、すなわち、選択画像をプリント６１、全画像をプリント６２及びキャンセル６４が並んでいるが、これに加えて、連続クイック設定１０６という新たなメニュー項目が表示されている。
【００６７】
図２４は、連続クイック設定１０６を選択したときに実行される連続クイック設定処理のフローチャートを示す図である。このフローチャートを開始すると、まず、印刷設定用インデックス表示画面を表示する（ステップＳ４１）。
【００６８】
図２５は、印刷設定用インデックス表示画面を示す図である。この印刷設定用インデックス表示画面１０７は、たとえば、横４列、縦３行のマトリクス状に配列された１２個のインデックス画像１０８ａ〜１０８ｍと、各インデックス画像に共通の印刷枚数を指定するためのテキストボックスコントロール１０９とを備え、さらに、それぞれのインデックス画像１０８ａ〜１０８ｍの中に、各インデックス画像に対応する画像の印刷をするかしないかを指定するための印刷設定情報オブジェクト（図ではチェックボックスコントロール１１０ａ〜１１０ｍ）を備える。なお、１２個のインデックス画像１０８ａ〜１０８ｍのうち太枠で囲んだ領域（インデックス画像１０８ｍ）は現在の選択画像（カーソルが位置している画像）を示している。
【００６９】
このような構成の印刷設定用インデックス表示画面１０７を液晶モニター２４に表示すると、次に、キー入力の有無を判定する（ステップＳ４２）。ここで、キーとは、画像選択キー、連続ＯＮ設定キー、連続ＯＦＦ設定キー、設定終了キーのことをいう。具体的には、上下左右方向移動ボタン２１の「左側」や「右側」を画像選択キーとし、上下左右方向移動ボタン２１の「上側」を連続ＯＮキーとし、上下左右方向移動ボタン２１の「下側」を連続ＯＦＦキーとし、ＳＥＴボタン２２を設定終了キーとする。
【００７０】
ステップＳ４２の判定結果が“ＮＯ”の場合、つまり、上下左右方向移動ボタン２１の「左右側」（画像選択キー）、上下左右方向移動ボタン２１の「上側」（連続ＯＮキー）、上下左右方向移動ボタン２１の「下側」（連続ＯＦＦキー）及びＳＥＴボタン２２（設定終了キー）のいずれも操作されなかった場合には、外部メモリ２７に格納されている各画像ファイルの中から、たとえば、撮影順に連続する１２枚の画像ファイルのインデックスを取り出し、印刷設定用インデックス表示画面１０７の１２個のインデックス画像１０８ａ〜１０８ｍに表示（ステップＳ４３）した後、再びキー入力の有無を判定する（ステップＳ４２）。
【００７１】
そして、ステップＳ４２でキー入力有りが判定された場合には、まず、その入力キーが画像選択キー（上下左右方向移動ボタン２１の「左右側」）であるか否かを判定し（ステップＳ４４）、そうであれば、カーソルを移動して選択画像を変更（ステップＳ４５）した後、インデックス画像１０８ａ〜１０８ｍの表示（ステップＳ４３）を更新する。
【００７２】
また、入力キーが画像選択キー（上下左右方向移動ボタン２１の「左右側」）でない場合には、その入力キーが連続ＯＮキー（上下左右方向移動ボタン２１の「上側」）であるか否かを判定し（ステップＳ４６）、そうであれば、選択画像の印刷枚数を所定枚数に設定（ステップＳ４７）し、且つ、カーソルを移動して選択画像を変更（ステップＳ４８）した後、インデックス画像１０８ａ〜１０８ｍの表示（ステップＳ４３）を更新する。
【００７３】
また、入力キーが連続ＯＮキー（上下左右方向移動ボタン２１の「上側」）でない場合には、その入力キーが連続ＯＦＦキー（上下左右方向移動ボタン２１の「下側」）であるか否かを判定し（ステップＳ４９）、そうであれば、選択画像の印刷枚数を０枚にクリア（ステップＳ５０）し、且つ、カーソルを移動して選択画像を変更（ステップＳ５１）した後、インデックス画像１０８ａ〜１０８ｍの表示（ステップＳ４３）を更新する。
【００７４】
また、入力キーが連続ＯＦＦキー（上下左右方向移動ボタン２１の「下側」）でない場合には、その入力キーが設定終了キー（ＳＥＴボタン２２）であるか否かを判定し（ステップＳ５２）、そうであれば、印刷設定用インデックス表示画面１０７の設定内容に従って印刷設定ファイルを生成（ステップＳ５３）した後、フローチャートを終了する一方、その入力キーが設定終了キー（ＳＥＴボタン２２）でもなければ、他の無効なキー操作が行われたと判断して、再びキー入力の判定（ステップＳ４２）に復帰する。
【００７５】
図２６は、連続クイック設定の概念図である。この図において、白抜き三角記号は上下左右方向移動ボタン２１の「左側」又は「右側」の操作（画像選択キー操作）を表し、黒く塗り潰された三角記号は上下左右方向移動ボタン２１の「上側」又は「下側」の操作（連続ＯＮキー操作又は連続ＯＦＦキー操作）を表している。
【００７６】
今、インデックス画像１０８ａ、１０８ｂ、１０８ｃ、１０８ｄ、１０８ｅ、・・・・のうちの３枚（インデックス画像１０８ａ、１０８ｂ、１０８ｅ）に各々２枚ずつの印刷設定を行う場合を考える。このような場合、前記の第一実施形態のような基本操作では、まず、上下左右方向移動ボタン２１の「右側」を操作して最初のインデックス画像１０８ａを選択し、その状態で上下左右方向移動ボタン２１の「上側」を２回操作して印刷枚数２を設定する。次いで、上下左右方向移動ボタン２１の「右側」を１回操作して２番目のインデックス画像１０８ｂを選択し、その状態で上下左右方向移動ボタン２１の「上側」を２回操作して印刷枚数２を設定する。さらに、上下左右方向移動ボタン２１の「右側」を３回操作して最後のインデックス画像１０８ｅを選択し、その状態で上下左右方向移動ボタン２１の「上側」を２回操作して印刷枚数２を設定する。この基本操作におけるキー押し回数は、最初のインデックス画像１０８ａの選択操作を除外するとしても「１０回」にも及ぶ。
【００７７】
これに対して、本実施形態の連続クイック設定では、最初のインデックス画像１０８ａを選択した状態で上下左右方向移動ボタン２１の「上側」（連続ＯＮキー）を１回操作すると、所定の印刷枚数（テキストボックスコントロール１０９に入力されている印刷枚数）が設定されると同時に、２番目のインデックス画像１０８ｂが自動的に選択される。そして、この２番目のインデックス画像１０８ａを選択した状態で上下左右方向移動ボタン２１の「上側」（連続ＯＮキー）を再び１回操作すると、所定の印刷枚数（テキストボックスコントロール１０９に入力されている印刷枚数）が設定されると同時に、３番目のインデックス画像１０８ｂが自動的に選択される。この３番目のインデックス画像１０８ｂ及び４番目のインデックス画像１０８ｃは共に印刷対象でないため、上下左右方向移動ボタン２１の「下側」（連続ＯＦＦキー）を２回操作すると、それらのインデックス画像１０８ｂ及び４番目のインデックス画像１０８ｃの印刷枚数がクリアされるとともに、最後のインデックス画像１０８ｅが自動的に選択される。そして、この最後のインデックス画像１０８ｅを選択した状態で上下左右方向移動ボタン２１の「上側」（連続ＯＮキー）を再び１回操作すると、所定の印刷枚数（テキストボックスコントロール１０９に入力されている印刷枚数）が設定されると同時に、次のインデックス画像（図示略）が自動的に選択される。したがって、この連続クイック設定におけるキー押し回数は、結局、「５回」となり、上記の基本操作の「１０回」の半分となるから、大幅な操作の軽減化を図ることができる。
【００７８】
このように、この実施形態の「連続クイック設定」によれば、印刷設定と画像の選択を同時に行うので、とりわけ、多数の画像に対する印刷設定を行う場合の使い勝手の向上を図ることができる。
【００７９】
なお、以上の実施形態では、デジタルカメラを例にして説明したが、本発明の適用はデジタルカメラに限定されない。内部に画像ファイルを保存し、且つ、その画像ファイルをモニター画面に再生表示して、その再生画像に対する印刷設定を行うことにより、印刷設定ファイルを生成する電子カメラであればよく、たとえば、カメラ付携帯電話機などもその適用例の一つである。
【図面の簡単な説明】
【００８０】
【図１】デジタルカメラ１０の正面図及び背面図である。
【図２】デジタルカメラ１０の内部ブロック図である。
【図３】デジタルカメラ１０の全体的な動作フローチャートを示す図である。
【図４】液晶モニター２４の表示画面を示す図である。
【図５】インデックス表示処理の動作フローチャートを示す図である。
【図６】液晶モニター２４のインデックス表示画面を示す図である。
【図７】ＭＥＮＵ処理のフローチャートを示す図である。
【図８】再生モード用メニュー画面を示す図である。
【図９】第一実施形態における「印刷設定処理」のフローチャートを示す図である。
【図１０】第一実施形態における「印刷設定画面」を示す図である。
【図１１】第一実施形態における「印刷処理１（選択画像をプリント）」のフローチャートを示す図である。
【図１２】第一実施形態における「選択画像の印刷枚数指定画面」を示す図である。
【図１３】第一実施形態における「印刷処理２（全画像をプリント）」のフローチャートを示す図である。
【図１４】第一実施形態における「全画像の印刷枚数指定画面」を示す図である。
【図１５】第一実施形態における「印刷処理３（インデックスから選択）」のフローチャートを示す図である。
【図１６】第一実施形態における「印刷設定用インデックス表示画面」の二つの例を示す図である。
【図１７】第二実施形態における「印刷設定画面」を示す図である。
【図１８】第二実施形態における「印刷処理３（カレンダーから選択）」のフローチャートを示す図である。
【図１９】第二実施形態における「印刷設定用カレンダー画面」の例を示す図及び代表して一つの日付領域８６を示す図である。
【図２０】第三実施形態における「印刷設定画面」を示す図及び同画面の「印刷履歴から選択９３を」選択したときに開かれる「印刷設定画面」を示す図である。
【図２１】第三実施形態における「印刷処理３（印刷履歴を元に画像を選択）」のフローチャートを示す図である。
【図２２】第三実施形態における「印刷設定用印刷履歴付インデックス画面」を示す図である。
【図２３】第四実施形態における「印刷設定画面」を示す図である。
【図２４】第四実施形態における「連続クイック設定処理」のフローチャートを示す図である。
【図２５】第四実施形態における「印刷設定用インデックス表示画面」を示す図である。
【図２６】第四実施形態における連続クイック設定の概念図である。
【図２７】プリント指定規格の概念図である。
【図２８】メモリカード５のディレクトリ構造図である。
【符号の説明】
【００８１】
１０  デジタルカメラ（電子カメラ）
２４  液晶モニター（表示手段）
２７  外部メモリ（記憶手段）
４４  印刷履歴データメモリ（保存手段）
４２  ＣＰＵ（読み出し手段、ファイル生成手段、カレンダー生成手段）
５０  操作入力部（受け付け手段）
７２ａ〜７２ｉ  インデックス画像（縮小画像）
７４ａ〜７４ｉ  チェックボックスコントロール（印刷設定情報オブジェクト）
７６ａ〜７６ｃ  インデックス画像（縮小画像）
８０ａ〜８０ｃ  チェックボックスコントロール（印刷設定情報オブジェクト）
８６  日付領域
８７  インデックス画像（縮小画像）
８８  チェックボックスコントロール（印刷設定情報オブジェクト）
８９ａ〜８９ｇ  チェックボックスコントロール（印刷設定情報オブジェクト）
９０ａ〜９０ｃ  チェックボックスコントロール（印刷設定情報オブジェクト）
１００ａ〜１００ｃ  インデックス画像（縮小画像）
１０４ａ〜１０４ｃ  チェックボックスコントロール（印刷設定情報オブジェクト）
１０８ａ〜１０８ｍ  インデックス画像（縮小画像）
１１０ａ〜１１０ｍ  チェックボックスコントロール（印刷設定情報オブジェクト）
【図１】
2006173767.tif 000003
【図２】
2006173767.tif 000004
【図３】
2006173767.tif 000005
【図４】
2006173767.tif 000006
【図５】
2006173767.tif 000007
【図６】
2006173767.tif 000008
【図７】
2006173767.tif 000009
【図８】
2006173767.tif 000010
【図９】
2006173767.tif 000011
【図１０】
2006173767.tif 000012
【図１１】
2006173767.tif 000013
【図１２】
2006173767.tif 000014
【図１３】
2006173767.tif 000015
【図１４】
2006173767.tif 000016
【図１５】
2006173767.tif 000017
【図１６】
2006173767.tif 000018
【図１７】
2006173767.tif 000019
【図１８】
2006173767.tif 000020
【図１９】
2006173767.tif 000021
【図２０】
2006173767.tif 000022
【図２１】
2006173767.tif 000023
【図２２】
2006173767.tif 000024
【図２３】
2006173767.tif 000025
【図２４】
2006173767.tif 000026
【図２５】
2006173767.tif 000027
【図２６】
2006173767.tif 000028
【図２７】
2006173767.tif 000029
【図２８】
2006173767.tif 000030